(57)【要約】      （修正有）【課題】優れた柔軟性を付与し得る、粘土鉱物含有の柔軟洗浄剤組成物を提供する。【解決手段】粘土鉱物、過酸化水素放出用物質、及び式（１）又は（２）による組成物。2005206811.tif 000014【選択図】なし【特許請求の範囲】
【請求項１】
（ａ）粘土鉱物１〜３０質量％、
（ｂ）水中で過酸化水素を放出する化合物０．５〜２０質量％、並びに
（ｃ）下記一般式（１）及び／又は（２）：
【化１】
2005206811.tif 000012
〔式中、Ｒ1は炭素数４〜１３のアルキル基、Ｒ2は炭素数５〜１３のアルキル基、Ｍは水素原子又はアルカリ金属原子、アルカリ土類金属原子、アンモニウム若しくはアルカノールアミンを示し、Ｍがアルカリ土類金属原子の場合、ｎは２、Ｍがアルカリ金属原子、アンモニウム若しくはアルカノールアミンの場合、ｎは１である。〕
で表される化合物０．１〜２０質量％
を含有し、
ＪＩＳ  Ｋ  ３３６２：１９９８記載の界面活性剤相当分１０〜６０質量％であり、
（ｂ）成分と（ｃ）成分の質量比〔（ｂ）成分／（ｃ）成分〕が３／４〜２０／１である、柔軟洗浄剤組成物。
【請求項２】
（ｂ）成分１．５〜２０質量％、（ｃ）成分１．５〜２０質量％、ならびに（ｂ）成分と（ｃ）成分の質量比が３／４〜７／１である、請求項１記載の柔軟洗浄剤組成物。
【請求項３】
更に（ｄ）脂肪酸塩０．４〜２０質量％を含有してなり、
界面活性剤相当分中の陰イオン界面活性剤が５５質量％以上、
界面活性剤相当分中の（ｄ）成分が４〜４０質量％、
（ｂ）成分と（ｃ）成分の質量比が２０／１〜１／１である、請求項１又は２記載の柔軟洗浄剤組成物。
【請求項４】
（ｄ）成分以外の界面活性剤相当分中のアルキルベンゼンスルホン酸塩が３５〜７０質量％である請求項３記載の柔軟洗浄剤組成物。
【請求項５】
請求項１〜４いずれか１項記載の柔軟洗浄剤組成物で被洗浄物を洗浄する工程を有する繊維製品の柔軟洗浄方法。
【請求項６】
（ａ）粘土鉱物、
（ｂ）水中で過酸化水素を放出する化合物、並びに
（ｃ）下記一般式（１）及び／又は（２）：
【化２】
2005206811.tif 000013
〔式中、Ｒ1は炭素数４〜１３のアルキル基、Ｒ2は炭素数５〜１３のアルキル基、Ｍは水素原子又はアルカリ金属原子、アルカリ土類金属原子、アンモニウム若しくはアルカノールアミンを示し、Ｍがアルカリ土類金属原子の場合、ｎは２、Ｍがアルカリ金属原子、アンモニウム若しくはアルカノールアミンの場合、ｎは１である。〕
で表される化合物を
（ｂ）成分／（ｃ）成分＝３／４〜２０／１
（ａ）成分／（ｃ）成分＝３５／１〜１／５
の質量比率で繊維製品に適用することを特徴とする、粘土鉱物の繊維製品に対する柔軟効果の増強方法。
【請求項７】
（ａ）成分、（ｂ）成分及び（ｃ）成分を、
（ｂ）成分／（ｃ）成分＝３／４〜７／１
（ａ）成分／（ｃ）成分＝３０／１〜１／５
の質量比率で繊維製品に適用する、請求項６記載の柔軟効果の増強方法。
【請求項８】
更に（ｄ）脂肪酸塩を繊維製品に適用する工程を含み、（ａ）成分、（ｂ）成分、（ｃ）成分及び（ｄ）脂肪酸塩を
（ｂ）成分／（ｃ）成分＝２０／１〜１／１
（ａ）成分／（ｃ）成分＝３５／１〜１／５
（ａ）成分／（ｄ）成分＝２０／１〜１／５
の質量比率で繊維製品に適用する、請求項６又は７記載の柔軟効果の増強方法。
【発明の詳細な説明】
【技術分野】
【０００１】
本発明は、柔軟化基剤として粘土鉱物を用いた柔軟洗浄剤組成物、該柔軟洗浄剤組成物を用いた繊維製品の柔軟洗浄方法、及び柔軟効果増強方法に関する。
【背景技術】
【０００２】
従来から、洗浄後の繊維製品が、繊維処理剤の脱落や塩類の付着等によって、柔らかさを失い、ごわごわした感触になるのを防止するために、洗浄剤に柔軟化剤を配合することが検討されてきた。繊維表面に沈着して、繊維製品の風合いに柔軟性を付与する柔軟化剤として、従来、スメクタイト等の粘土鉱物（例えば特許文献１参照。）、ジアルキル型第４級アンモニウム塩等の陽イオン界面活性剤（例えば非特許文献１参照。）、ポリ（ジメチルシロキサン）等のシリコーン（例えば特許文献２参照。）、等が用いられてきた。しかし、十分な柔軟効果を得るには至っていなかった。
【０００３】
近年、配合の容易性、環境対応等の点から、粘土鉱物の柔軟効果増強方法の検討がなされている。例えば、ベントナイトとペンタエリトリトール化合物との併用（例えば特許文献３参照。）、粘土鉱物と凝集剤との併用（例えば特許文献４参照。）、ベントナイトと可溶性カリウム塩との併用（例えば特許文献５、非特許文献１参照。）等が知られている。しかし、未だに洗浄工程の中で十分な柔軟性を付与するには至っていない。
【特許文献１】特開昭４９−８５１０２号公報
【特許文献２】特開２００２−２４９７９９号公報
【特許文献３】特開平５−１４０８６９号公報
【特許文献４】特表２００２−５４１３４２号公報
【特許文献５】特表平８−５０６８４３号公報
【非特許文献１】周知・慣用技術集（衣料用粉末洗剤）、特許庁公報、平成10(1998).3.26 発行
【発明の開示】
【発明が解決しようとする課題】
【０００４】
本発明の課題は、柔軟化基剤として粘土鉱物を用い、繊維製品等の被洗浄物の洗浄と同時に、洗浄物に優れた柔軟性を付与し得る柔軟洗浄剤組成物、該柔軟洗浄剤組成物を用いた繊維製品の柔軟洗浄方法及び柔軟効果増強方法を提供することにある。
【課題を解決するための手段】
【０００５】
即ち、本発明の要旨は、
〔１〕  （ａ）粘土鉱物１〜３０質量％、
（ｂ）水中で過酸化水素を放出する化合物０．５〜２０質量％、並びに
（ｃ）下記一般式（１）及び／又は（２）：
【０００６】
【化１】
2005206811.tif 000002
【０００７】
〔式中、Ｒ1は炭素数４〜１３のアルキル基、Ｒ2は炭素数５〜１３のアルキル基、Ｍは水素原子又はアルカリ金属原子、アルカリ土類金属原子、アンモニウム若しくはアルカノールアミンを示し、Ｍがアルカリ土類金属原子の場合、ｎは２、Ｍがアルカリ金属原子、アンモニウム若しくはアルカノールアミンの場合、ｎは１である。〕
で表される化合物０．１〜２０質量％
を含有し、
ＪＩＳ  Ｋ  ３３６２：１９９８記載の界面活性剤相当分１０〜６０質量％であり、
（ｂ）成分と（ｃ）成分の質量比〔（ｂ）成分／（ｃ）成分〕が３／４〜２０／１である、柔軟洗浄剤組成物、
〔２〕  前記〔１〕記載の柔軟洗浄剤組成物で被洗浄物を洗浄する工程を有する繊維製品の柔軟洗浄方法、
〔３〕  （ａ）粘土鉱物、
（ｂ）水中で過酸化水素を放出する化合物、並びに
（ｃ）下記一般式（１）及び／又は（２）：
【０００８】
【化２】
2005206811.tif 000003
【０００９】
〔式中、Ｒ1は炭素数４〜１３のアルキル基、Ｒ2は炭素数５〜１３のアルキル基、Ｍは水素原子又はアルカリ金属原子、アルカリ土類金属原子、アンモニウム若しくはアルカノールアミンを示し、Ｍがアルカリ土類金属原子の場合、ｎは２、Ｍがアルカリ金属原子、アンモニウム若しくはアルカノールアミンの場合、ｎは１である。〕
で表される化合物を
（ｂ）成分／（ｃ）成分＝３／４〜２０／１
（ａ）成分／（ｃ）成分＝３５／１〜１／５
の質量比率で繊維製品に適用することを特徴とする、粘土鉱物の繊維製品に対する柔軟効果の増強方法
に関する。
【発明の効果】
【００１０】
本発明の柔軟洗浄剤組成物を用いることにより、柔軟性に優れた繊維製品等の洗浄を行うことができるという効果が奏される。
【発明を実施するための最良の形態】
【００１１】
１．柔軟洗浄剤組成物
本発明の柔軟洗浄剤組成物は、
（ａ）粘土鉱物１〜３０質量％、
（ｂ）水中で過酸化水素を放出する化合物０．５〜２０質量％、並びに
（ｃ）下記一般式（１）及び／又は（２）：
【００１２】
【化３】
2005206811.tif 000004
【００１３】
〔式中、Ｒ1は炭素数４〜１３のアルキル基、Ｒ2は炭素数５〜１３のアルキル基、Ｍは水素原子又はアルカリ金属原子、アルカリ土類金属原子、アンモニウム若しくはアルカノールアミンを示し、Ｍがアルカリ土類金属原子の場合、ｎは２、Ｍがアルカリ金属原子、アンモニウム若しくはアルカノールアミンの場合、ｎは１である。〕
で表される化合物０.１〜２０質量％、
を含有し、
ＪＩＳ  Ｋ  ３３６２：１９９８記載の界面活性剤相当分１０〜６０質量％であり、
（ｂ）成分と（ｃ）成分の質量比〔（ｂ）成分／（ｃ）成分〕が３／４〜２０／１であることを１つの大きな特徴とする。
【００１４】
本発明においては、かかる特徴を有することにより、柔軟性に優れた繊維製品等の被洗浄物の洗浄を行うことができるという効果が発現される。
【００１５】
なお、本発明において、柔軟性とは、衣類に触れた際に感じる柔らかさ・滑らかさを意味し、繊維製品の例としてはタオル、バスタオル、Ｔシャツ、トレーナー等が挙げられる。
【００１６】
以下、本発明の柔軟洗浄剤組成物について更に詳しく説明する。
【００１７】
＜（ａ）成分＞
本発明の柔軟洗浄剤組成物は（ａ）成分として粘土鉱物を１〜３０質量％含有する。柔軟性能、洗浄性能の点で、柔軟洗浄剤組成物中の（ａ）成分の含有量は、２〜２５質量％が好ましく、４〜２０質量％がより好ましく、６〜１８質量％が更に好ましく、８〜１５質量％が更に好ましい。
【００１８】
（ａ）成分としては、タルク、パイロフィライト、スメクタイト（サポナイト、ヘクトライト、ソーコナイト、スティーブンサイト、モンモリロナイト、バイデライト、ノントロナイト等）、バーミキュライト、雲母（金雲母、黒雲母、チンワルド雲母、白雲母、パラゴナイト、セラドナイト、海緑石等）、緑泥石（クリノクロア、シャモサイト、ニマイト、ペナンタイト、スドーアイト、ドンバサイト等）、脆雲母（クリントナイト、マーガライト等）、スーライト、蛇紋石鉱物（アンチゴライト、リザーダイト、クリソタイル、アメサイト、クロンステダイト、バーチェリン、グリーナライト、ガーニエライト（ヌポワアイト）等）、カオリン鉱物（カオリナイト、ディッカイト、ナクライト、ハロイサイト等）等が挙げられる。中でも、柔軟性能の点で、タルク、スメクタイト、膨潤性雲母、バーミキュライト、クリソタイル、カオリン鉱物等が好ましく、スメクタイトがより好ましく、モンモリロナイトが更に好ましい。これらは単独又は２種以上を適宜組み合わせて用いることができる。
【００１９】
また、（ａ）成分としては、耐ケーキング性、仕上がり感の点で、以下の一般式（３）：
［Ｓｉ8（ＭｇaＡｌb）Ｏ20（ＯＨ）4］X-・ＭｅX+
（０＜ａ≦６、０＜ｂ≦４、ｘ＝１２−２ａ−３ｂ、Ｍｅ：Ｎａ、Ｋ、Ｌｉ、Ｃａ1/2、Ｍｇ1/2及びＮＨ4の少なくとも１種）
で表される粘土鉱物が好ましい。かかる一般式（３）で表される粘土鉱物の例としては、ズード・ケミ社製の「ラウンドロジルＤＧＡ２１２」、「ラウンドロジルＰＲ４１４」、「ラウンドロジルＤＧＡパウダー」、ラヴィオッサ社製の「デタソフトＧ１Ｓ」、「デタソフトＧ１Ｂ」、「デタソフトＧ１ＳＷ」等が挙げられる。なお、かぎ括弧内の用語は、商品名を示す。
【００２０】
これらの（ａ）成分は、天然品でも、合成品でもよい。
【００２１】
＜（ｂ）成分＞
本発明の柔軟洗浄剤組成物は、（ｂ）成分として水中で過酸化水素を放出する化合物を０．５〜２０質量％含有する。柔軟性能、洗浄性能の点で、柔軟洗浄剤組成物中の（ｂ）成分の含有量は、１. ５〜２０質量％が好ましく、２〜１６質量％がより好ましく、２. ５〜１３質量％が更に好ましく、３〜１０質量％が更に好ましく、３. ５〜８質量％が更に好ましい。
【００２２】
また、柔軟洗浄剤組成物が後述の（ｄ）脂肪酸塩を含有する場合、（ｂ）成分の含有量は、１〜１６質量％が好ましく、１．５〜１３質量％がより好ましく、２〜１０質量％が更に好ましく、２．５〜８質量％が更に好ましい。
【００２３】
（ｂ）成分としては、炭酸塩・過酸化水素付加物、硼酸塩・過酸化水素付加物、トリポリリン酸塩・過酸化水素付加物、ピロリン酸塩・過酸化水素付加物、尿素・過酸化水素付加物等が挙げられる。この中でも、炭酸塩・過酸化水素付加物、硼酸塩・過酸化水素付加物が好ましく、炭酸ナトリウム・過酸化水素付加物、硼酸ナトリウム・過酸化水素付加物がより好ましい。高温での洗浄性能の点で硼酸ナトリウム・過酸化水素付加物が更に好ましく、低温での洗浄性能の点で炭酸ナトリウム・過酸化水素付加物が更に好ましい。
【００２４】
また、（ｂ）成分は、無機化合物や有機化合物等で被覆されることが貯蔵安定性の点で好ましい。無機化合物としては、ホウ酸、ホウ酸塩、炭酸ナトリウム、硫酸ナトリウム、硫酸マグネシウム、珪酸マグネシウム、塩化マグネシウム、酸化マグネシウム、珪酸ナトリウム等が挙げられ、有機化合物としては、ポリエチレングリコール、ポリビニルピロリドン、ヒドロキシプロピルセルロース等が挙げられる。中でも、少なくともホウ酸又はホウ酸塩を用いて被覆することが好ましい。ホウ酸としては、オルトホウ酸、メタホウ酸、四ホウ酸等が挙げられ、その塩としては、ナトリウム、カリウム等のアルカリ金属塩が挙げられる。
【００２５】
前記無機化合物又は有機化合物を用いた（ｂ）成分の被覆は、例えば、特開昭５９−１９６３９９号公報記載の方法により行うことができる。（ｂ）成分の量としては、（ｂ）成分を含む粒子中、５０〜９５質量％が好ましく、７０〜９０質量％がより好ましい。被覆に用いられる前記無機化合物又は有機化合物の量は、（ｂ）成分が（ｂ）成分を含む粒子として用いられる場合、該粒子中、安定性、溶解性の点で、０. ５〜２０質量％が好ましく、１〜１０質量％がより好ましい。また、従来より知られている安定化剤、溶解促進剤、キレート剤等を前記粒子に含有させても良い。中でも塩化物、尿素、陰イオン界面活性剤、非イオン界面活性剤が溶解性の点で好ましく、それらの比率は、それぞれ、前記粒子中０．１〜５質量％が好ましい。
【００２６】
＜（ｃ）成分＞
本発明の柔軟洗浄剤組成物は、（ｃ）成分として前記一般式（１）及び／又は（２）で表される化合物を０．１〜２０質量％含有する。柔軟性能、洗浄性能の点で、柔軟洗浄剤組成物中の（ｃ）成分は、１. ５〜２０質量％が好ましく、２〜１６質量％がより好ましく、２. ５〜１３質量％が更に好ましく、３〜１０質量％が更に好ましく、３．５〜８質量％が更に好ましい。
【００２７】
また、柔軟洗浄剤組成物が後述の（ｄ）脂肪酸塩を含有する場合、（ｃ）成分の含有量は、０．５〜１６質量％が好ましく、０．６〜１３質量％がより好ましく、０．７〜１０質量％が更に好ましく、０．８〜８質量％が更に好ましい。
【００２８】
前記一般式（１）及び（２）中、Ｒ1及びＲ2としては、洗浄性能の点で、好ましくは炭素数７〜１８、更に好ましくは１０〜１３のアルキル基又はアルケニル基（より好ましくはアルキル基）が好ましい。また、Ｍとしては、アルカリ金属原子が好ましく、中でもナトリウム、カリウムが好ましく、更にナトリウムが好ましい。
【００２９】
（ｃ）成分は、水中で過酸化水素（具体的には、（ｂ）成分から放出される過酸化水素）と反応し有機過酸を発生する化合物である。本発明の柔軟洗浄剤組成物においては、かかる（ｃ）成分を含有することで、（ａ）成分単独の場合に比べ、柔軟効果が向上するという利点がある。なお、有機過酸とは、（ｃ）成分と（ｂ）成分由来の過酸化水素とが反応して生じる過酸化物をいう。
【００３０】
（ｃ）成分を柔軟洗浄剤組成物中に配合する場合、安定性の点で（ｃ）成分を含む粒子として配合することが好ましい。（ｃ）成分を含む粒子中の（ｃ）成分の量は好ましくは１〜８０質量％、より好ましくは２０〜８０質量％、更に好ましくは３０〜７５質量％である。また、（ｃ）成分を含む粒子には（ｃ）成分の洗濯浴中での溶解性を改善するためにポリオキシアルキレンアルキルエーテル、アルキル硫酸塩及びポリオキシアルキレンアルキルエーテル硫酸塩から選ばれる少なくとも１種の界面活性剤を（ｃ）成分を含む粒子中に０〜５０質量％配合するのが好ましく、より好ましくは１〜４５質量％、更に好ましくは２〜４０質量％である。
【００３１】
ポリオキシアルキレンアルキルエーテルとしては、エチレンオキシドとプロピレンオキシドがブロック状に付加したものが好ましく、エチレンオキシド平均付加モル数は３〜２０が好ましく、４〜１５が更に好ましく、プロピレンオキシド平均付加モル数は１〜１０が好ましく、２〜７が更に好ましい。アルキル基の炭素数は１０〜１８が好ましく、１２〜１６が更に好ましい。
【００３２】
アルキル硫酸塩としては、炭素数１０〜１８で、ナトリウム塩が好ましく、ラウリル硫酸ナトリウム又はミリスチル硫酸ナトリウムがより好ましい。
【００３３】
ポリオキシアルキレンアルキルエーテル硫酸塩としては、アルキル基の炭素数が１０〜１８のポリオキシエチレンアルキルエーテル硫酸塩が好ましく、またナトリウム塩が良好である。ここでポリオキシエチレン基の平均重合度（以下ＥＯｐ）は１〜１０、更に１〜５が良好であり、更にポリオキシエチレン（ＥＯｐ＝２〜５）ラウリルエーテル硫酸ナトリウム、ポリオキシエチレン（ＥＯｐ＝２〜５）ミリスチルエーテル硫酸ナトリウムが良好である。
【００３４】
（ｃ）成分を含む粒子は、上記成分を、ポリエチレングリコール及び脂肪酸から選ばれるバインダー物質を用いて製剤化したものでもよい。
ポリエチレングリコールとしては平均分子量２０００〜２００００、更に４０００〜１５０００、更に４０００〜１００００のものが良好である。また、脂肪酸としては炭素数８〜２０、更に１０〜１８、更に１２〜１８のものが好ましく、これらはナトリウムあるいはカリウム石鹸の状態であってもよい。
【００３５】
バインダー物質は（ｃ）成分を含む粒子中に０．５〜３０質量％、更に１〜２０質量％、更に５〜２０質量％使用するのが好ましい。
【００３６】
（ｃ）成分を含む粒子には、上記組成物を上記比率で配合することが、保存安定性の点で好ましい。
【００３７】
また、本発明では、（ｃ）成分を含む粒子の安定性を更に向上させる目的で所望により（ｃ）成分を含む粒子中に酸性物質を配合してもよい。酸性物質としては有機カルボン酸類が好ましく、コハク酸、マレイン酸、フマール酸、クエン酸、グリコール酸及びｐ−ヒドロキシ安息香酸から選ばれる少なくとも１種がより好ましい。このような酸性物質の配合量は、（ｃ）成分を含む粒子中に０〜２０質量％、更に好ましくは１〜１５質量％、更に好ましくは１〜１０質量％が好適である。
【００３８】
（ｃ）成分を含む粒子は、上記成分を任意の方法で混合して得ることができるが、更に（ｃ）成分と前記界面活性剤の一部もしくはすべてを先に混合し、その後、残りの界面活性剤、バインダー物質、酸性物質等を添加する方法が好ましい。
【００３９】
また、バインダー物質は予め融解して添加することが好ましい。バインダー物質は４０〜１００℃、更に５０〜１００℃、更に５０〜９０℃で融解させて添加するのが好ましい。
【００４０】
上記のようにして得られた混合物は、均一になるまで攪拌混合された後、通常の造粒機により製剤化される。
【００４１】
好ましい造粒法として押し出し造粒を挙げることができ、平均粒径が５００μｍ〜５０００μｍ、更に５００〜３０００μｍの造粒物にすることが好ましい。また、その他の造粒法としてはブリケット機による錠剤形状にすることも好ましい造粒法として挙げることができる。
【００４２】
＜（ｄ）成分＞
また、本発明の柔軟洗浄剤組成物は、柔軟性能、洗浄性能の点で、（ｄ）成分として脂肪酸塩を０. ４〜２０質量％含有することが好ましい。この含有量としては、０. ６〜１６質量％がより好ましく、０. ８〜１４質量％が更に好ましく、１〜１２質量％が更に好ましく、１〜１０質量％が更に好ましい。
【００４３】
本発明においては、かかる（ｄ）成分を（ｃ）成分と併用することで、（ａ）成分単独、（ａ）、（ｃ）成分併用時に比べ、更に柔軟効果が向上するという利点がある。
【００４４】
（ｄ）成分としては、柔軟性能の点で、ヨウ素価０〜１５０、中和価５０〜４００の脂肪酸由来のものが好ましく、ヨウ素価１〜１００、中和価１００〜３５０がより好ましく、ヨウ素価２〜９０、中和価１５０〜３００が更に好ましく、ヨウ素価２〜６０、中和価１８０〜２８０が更に好ましく、ヨウ素価２〜２０、中和価２３０〜２８０が更に好ましい。ヨウ素価の測定はＪＩＳ  Ｋ  ３３４１５．２、中和価の測定はＪＩＳ  Ｋ３３４１５．１により行う。
【００４５】
（ｄ）成分の具体的な化合物として、脂肪酸残基の炭素数が９〜２１、好ましくは１１〜１９、より好ましくは１３〜１７の脂肪酸塩である。好ましい化合物としては、ミリスチン酸、パルミチン酸、ステアリン酸、オレイン酸、リノール酸、リノレン酸等のアルカリ金属塩が挙げられる。
【００４６】
また、（ｄ）成分としては、柔軟性能の点で、ケン化価２３５〜２８０、ヨウ素価２〜２０、中和価２３０〜２８０が好ましく、ケン化価２４５〜２７０、ヨウ素価４〜１８、中和価２４０〜２７０がより好ましく、ケン化価２５０〜２６５、ヨウ素価６〜１５、中和価２４５〜２６５が更に好ましく、ケン化価２５５〜２６０、ヨウ素価８〜１２、中和価２５０〜２６０が更に好ましい。ケン化価の測定はＪＩＳ  Ｋ  ３３３１５．３、ヨウ素価の測定はＪＩＳ  Ｋ  ３３４１５．２、中和価の測定はＪＩＳ  Ｋ３３４１５．１により行う。
【００４７】
＜（ｅ）成分＞
また、本発明の柔軟洗浄剤組成物は、生産性、溶解性、耐ケーキング性の点で、（ｅ）成分として金属キレート作用、アルカリ緩衝作用、固体粒子分散作用の少なくともいずれかを有するビルダーを含有することが好ましい。その含有量としては、２０〜８０質量％がより好ましく、３０〜７０質量％が更に好ましく、４０〜６０質量％が更に好ましい。
【００４８】
（ｅ）成分としては、洗剤・洗浄の事典、（株）朝倉書店、1990年11月25日初版第１刷、奥山春彦、皆川基編集、５６頁〜７４頁記載のビルダーが挙げられる。
【００４９】
中でも無機系ビルダーとしては、ゼオライト、非晶質アルミノ珪酸塩、結晶性アルミノ珪酸塩、トリポリリン酸ナトリウム、ピロリン酸ナトリウム、炭酸塩及び珪酸塩が好ましく、有機系ビルダーとしては、アミノカルボン酸塩、ヒドロキシアミノカルボン酸塩、ヒドロキシカルボン酸塩、シクロカルボン酸塩、エーテルカルボン酸塩及び有機カルボン酸（塩）ポリマーが好ましい。更に無機系ビルダーとしては、ゼオライト、炭酸塩及び珪酸塩が好ましく、有機系ビルダーとしては、有機カルボン酸（塩）ポリマーが好ましい。
【００５０】
＜（ｄ）成分以外の界面活性剤＞
本発明の柔軟洗浄剤組成物には、前記（ｄ）成分以外の界面活性剤を含有してもよい。（ｄ）成分以外の界面活性剤の量としては、柔軟洗浄剤組成物中、５〜５０質量％が好ましく、１０〜３０質量％がより好ましい。
【００５１】
（ｄ）成分以外の界面活性剤としては、（ｄ）成分以外の陰イオン界面活性剤、非イオン界面活性剤、陽イオン界面活性剤、両性界面活性剤を挙げることができる。
中でも、洗浄性能、柔軟性能の点で、柔軟洗浄剤組成物は、（ｄ）成分以外の陰イオン界面活性剤を含有することが好ましい。
【００５２】
（ｄ）成分以外の陰イオン性界面活性剤としては、炭素数１０〜１８のアルコールの硫酸エステル塩、炭素数８〜２０のアルコールのアルコキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩が好ましい。本発明では更に、アルキル鎖の炭素数が１０〜１４の、より好ましくは１２〜１４の直鎖アルキルベンゼンスルホン酸塩が好ましく、対イオンとしては、アルカリ金属塩やアミン類が好ましく、更にナトリウム及び／又はカリウム、モノエタノールアミン、ジエタノールアミンが好ましい。
【００５３】
非イオン界面活性剤としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーが好ましい。更に、炭素数１０〜１８のアルコールにエチレンオキシドやプロピレンオキシド等のアルキレンオキシドを平均で４〜２０モル付加したポリオキシアルキレンアルキルエーテルが好ましい。非イオン性界面活性剤は、ＨＬＢ値（グリフィン法で算出）が１０.５〜１５.０、更に１１.０〜１４.５のものが好ましい。
【００５４】
陽イオン界面活性剤としては、モノ（又はジ）長鎖アルキル型第四級アンモニウム塩等が挙げられる。
【００５５】
両性界面活性剤としては、アルキルジメチルアミノ酢酸ベタイン、脂肪酸アミノプロピルベタイン等が挙げられる。
【００５６】
また、これらの界面活性剤を（ｄ）成分と併用する場合の中でも、柔軟性能の点で、アルキルベンゼンスルホン酸塩を、（ｄ）成分以外の界面活性剤相当分中、３５〜７０質量％含有することが好ましい。この含有量としては、３６〜６５質量％がより好ましく、３７〜６０質量％が更に好ましく、４０〜５５質量％が更に好ましい。
【００５７】
これらの界面活性剤を（ｄ）成分と併用する場合、洗浄性能、柔軟性能の点で、アルキルベンゼンスルホン酸塩を柔軟剤組成物中１〜２０質量％含有することが好ましく、３〜１８質量％がより好ましく、５〜１６質量％が更に好ましく、８〜１４質量％が更に好ましい。
【００５８】
＜ＪＩＳ  Ｋ  ３３６２：１９９８記載の界面活性剤相当分＞
また、本発明の柔軟洗浄剤組成物は、ＪＩＳ  Ｋ  ３３６２：１９９８記載の界面活性剤相当分１０〜６０質量％を含有するものである。
ここで、ＪＩＳ  Ｋ  ３３６２：１９９８記載の界面活性剤相当分とは、日本工業規格（ＪＩＳ）においてＫ  ３３６２：１９９８として制定された方法に基づき測定した場合の洗浄剤組成物に配合された界面活性剤の数量を表すもので、エタノール可溶分から石油エーテル可溶分と尿素とを差し引いた量である。
【００５９】
洗浄性能、柔軟性能の点で、柔軟洗浄剤組成物中のＪＩＳ  Ｋ  ３３６２：１９９８記載の界面活性剤相当分は１５〜５０質量％が好ましく、１８〜４５質量％がより好ましく、２０〜４０質量％が更に好ましい。
【００６０】
本発明の柔軟洗浄剤組成物において、前記（ａ）、（ｂ）、及び（ｃ）成分を含有する場合、界面活性剤相当分中の（ｄ）成分を含めた陰イオン性界面活性剤の量としては、８０質量％以上であることが好ましく、９０質量％以上がより好ましく、９５質量％以上が更に好ましい。
【００６１】
また、本発明の柔軟洗浄剤組成物において、前記（ｄ）成分を４〜４０質量％含有する場合、界面活性剤相当分中の陰イオン界面活性剤は、柔軟性能の点で、５５質量％以上が好ましく、５６〜９８質量％がより好ましく、５７〜９５質量％が更に好ましく、５８〜９２質量％が更に好ましい。なお、ここでいう陰イオン界面活性剤の量には前記（ｄ）成分の量が含まれる。
【００６２】
また、柔軟性能の点で、界面活性剤相当分中の（ｄ）成分は、４〜４０質量％が好ましい。この量は、５〜３８質量％がより好ましく、６〜３５質量％が更に好ましく、７〜３０質量％が更に好ましい。
【００６３】
本発明の柔軟洗浄剤組成物において、（ｂ）成分／（ｃ）成分の質量比が３／４〜２０／１である。この質量比は、柔軟性能の点で、３／４〜７／１が好ましく、５／６〜６／１がより好ましく、９／１０〜５／１が更に好ましく、１／１〜４／１が更に好ましい。
【００６４】
また、本発明の柔軟洗浄剤組成物が（ｄ）成分を含有する場合、（ｂ）成分／（ｃ）成分の質量比は１／１〜２０／１が好ましく、６／５〜１５／１がより好ましく、３／２〜１０／１が更に好ましく、２／１〜５／１が更に好ましい。
【００６５】
また、柔軟性能の点で、柔軟洗浄剤組成物中の（ａ）成分／（ｃ）成分の質量比は、３５／１〜１／５が好ましく、３０／１〜１／５がより好ましく、１５／１〜１／３が更に好ましく、１０／１〜１／２が更に好ましく、５／１〜１／１が更に好ましい。
【００６６】
また、柔軟洗浄剤組成物が（ｄ）成分を含有する場合、柔軟性能の点で、柔軟洗浄剤組成物中の（ａ）成分／（ｄ）成分の質量比は、２０／１〜１／５が好ましく、１５／１〜１／３がより好ましく、１０／１〜１／２が更に好ましく、５／１〜１／１が更に好ましい。
【００６７】
洗浄性能、柔軟性能の点で、柔軟洗浄剤組成物中の（ａ）成分／ＪＩＳ  Ｋ
３３６２：１９９８記載の界面活性剤相当分の質量比は、２／１〜１／５０が好ましく、３／２〜１／１０がより好ましく、１／１〜１／５が更に好ましく、３／４〜１／３が更に好ましい。
【００６８】
＜水分＞
また、柔軟洗浄剤組成物は、保存安定性、生産性の点で、水（ＪＩＳ  Ｋ  ３３６２：１９９８記載の過熱減量法による水分）を０. １〜１０質量％含有することが好ましく、０. ２〜６質量％がより好ましく、０. ５〜４質量％が更に好ましく、０. ５〜３質量％が更に好ましい。
【００６９】
＜表面改質剤＞
本発明の柔軟洗浄剤組成物は、流動性及び耐ケーキング性の点で、表面改質剤を用いて表面改質されてもよい。表面改質剤としては、例えば、アルミノケイ酸塩、ケイ酸カルシウム、二酸化ケイ素、非晶質シリカ誘導体、結晶性シリケート化合物等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー、脂肪酸が挙げられる。より好ましくはアルミノ珪酸塩、結晶性シリケート化合物であり、更に好ましくはアルミノ珪酸塩である。表面改質剤の含量は保存安定性の点で、本発明の柔軟洗浄剤組成物中の２０質量％以下が好ましく、１５質量％以下がより好ましく、１０質量％以下が更に好ましい。また、表面改質剤の含量は、表面改質の点で、本発明の柔軟洗浄剤組成物の１質量％以上が好ましく、３質量％以上がより好ましく、５質量％以上が更に好ましい。また、（ａ）成分の粘土鉱物の一部を表面改質剤として用いてもよい。
【００７０】
＜その他成分＞
本発明の柔軟洗浄剤組成物は、衣料用洗浄剤の分野で公知の再汚染防止剤（カルボキシメチルセルロース等）、その他の柔軟化剤、蛍光染料、抑泡剤（シリコーン等）、酵素、酵素安定化剤、着色剤、香料等を含有させることができる。
【００７１】
以上のような組成を有する本発明の柔軟洗浄剤組成物は、前記各成分を公知の方法で混合することによって製造することができる。
【００７２】
２．柔軟洗浄剤組成物の物性
本発明の柔軟洗浄剤組成物は、安定性の点で、粉末や錠剤形態であることが好ましく、粉末形態がより好ましい。低温溶解性、安定性の点で、ＪＩＳ  Ｋ  ３３６２：１９９８記載のふるい分け機械によるふるい分け方法によって測定される粒度から求められる平均粒径は２００〜１０００μｍが好ましく、より好ましくは２５０〜９００μｍ、更に好ましくは３００〜８００μｍである。低温溶解性、安定性の点で、ＪＩＳ  Ｋ  ３３６２：１９９８記載方法によって測定される見かけ密度は３００〜１２００ｇ／Ｌが好ましく、４００〜１１００ｇ／Ｌがより好ましく、６００〜１０００ｇ／Ｌが更に好ましく、７００〜９８０ｇ／Ｌが更に好ましい。
【００７３】
洗浄性能、柔軟性能、損傷性の点で、柔軟洗浄剤組成物のＪＩＳ  Ｋ３３６２：１９９８記載の２０℃で測定する０．０５質量％の水溶液のｐＨは８〜１２が好ましく、９〜１１．５がより好ましく、９．５〜１１が更に好ましく、１０〜１１が更に好ましい。
【００７４】
洗浄性能、柔軟性能の点で、柔軟洗浄剤組成物の下記測定方法による柔軟洗浄剤組成物のカルシウム捕捉量は、２０〜３００ＣａＣＯ3  ｍｇ／ｇが好ましく、５０〜２００ＣａＣＯ3  ｍｇ／ｇがより好ましく、１００〜１５０ＣａＣＯ3  ｍｇ／ｇが更に好ましい。
【００７５】
（カルシウム捕捉量の測定方法）
カルシウム捕捉量（Ｃａ捕捉量）は、特開平3 −277696号公報3 頁右下欄6 行目から4 頁左上欄6 行目記載の方法（但し、陰イオン性界面活性剤を柔軟洗浄剤組成物と読み替える）により求める。
【００７６】
３．繊維製品の柔軟洗浄方法
本発明の繊維製品の柔軟洗浄方法は、前記柔軟洗浄剤組成物で被洗浄物を洗浄する工程を有する。
ここで、被洗浄物としては、綿、麻、毛等の天然繊維、レーヨン、キュプラ等の再生繊維、アセテート等の半合成繊維、ナイロン、ポリエステル、アクリル等の合成繊維等を原料とする繊維製品が挙げられる。
【００７７】
また、前記柔軟効果増強方法における洗浄方法としては、通常の繊維製品の洗浄に用いられる公知の方法であればよく、温度、洗浄装置等の洗浄条件については特に限定はない。
【００７８】
４．粘土鉱物の繊維製品に対する柔軟効果の増強方法
本発明の粘土鉱物の繊維製品に対する柔軟効果の増強方法（以下、柔軟効果増強方法ともいう）は、前記（ａ）成分、（ｂ）成分、並びに（ｃ）成分を
（ｂ）成分／（ｃ）成分＝３／４〜２０／１
（ａ）成分／（ｃ）成分＝３５／１〜１／５
の質量比率で繊維製品に適用することを特徴とするものである。
かかる特徴を有することで、（ａ）成分である粘土鉱物の繊維製品に対する柔軟効果が増強される。
【００７９】
本発明の柔軟効果増強方法において、（ｂ）成分／（ｃ）成分の質量比は３／４〜２０／１である。この質量比は、柔軟性能の点で、３／４〜７／１が好ましく、５／６〜６／１がより好ましく、９／１０〜５／１が更に好ましく、１／１〜４／１が更に好ましい。
【００８０】
また、（ａ）成分／（ｃ）成分の質量比は、３５／１〜１／５であり、柔軟性能の点で、３０／１〜１／５が好ましく、１５／１〜１／３がより好ましく、１０／１〜１／２が更に好ましく、５／１〜１／１が更に好ましい。
【００８１】
なお、前記各成分の質量比率は、柔軟効果増強方法において使用される各成分の最終的な質量から算出される比率である。
【００８２】
また、本発明の柔軟効果増強方法としては、（ａ）成分である粘土鉱物の繊維製品に対する柔軟効果が増強される観点から、前記（ａ）成分、（ｂ）成分、（ｃ）成分、及び（ｄ）成分を
（ｂ）成分／（ｃ）成分＝２０／１〜１／１
（ａ）成分／（ｃ）成分＝３５／１〜１／５
（ａ）成分／（ｄ）成分＝２０／１〜１／５
の質量比率で繊維製品に適用することも好ましい。
【００８３】
この場合、（ｂ）成分／（ｃ）成分の質量比率は、柔軟性能の点で、２０／１〜１／１が好ましく、１５／１〜６／５がより好ましく、１０／１〜３／２が更に好ましく、５／１〜２／１が更に好ましい。
【００８４】
（ａ）成分／（ｃ）成分の質量比率は、柔軟性能の点で、３５／１〜１／５が好ましく、１５／１〜１／３がより好ましく、１０／１〜１／２が更に好ましく、５／１〜１／１が更に好ましい。
【００８５】
（ａ）成分／（ｄ）成分の質量比率は、柔軟性能の点で、２０／１〜１／５が好ましく、１５／１〜１／３がより好ましく、１０／１〜１／２が更に好ましく、５／１〜１／１が更に好ましい。
【００８６】
なお、前記各成分の質量比率は、柔軟効果増強方法において使用される各成分の最終的な質量から算出される比率である。
【００８７】
本発明の柔軟効果増強方法の具体的な態様としては、洗浄浴中に、（ａ）、（ｂ）、（ｃ）成分を上記比率で投入すればよく、３成分を含む組成物を一度に投入しても、（ａ）成分及び（ｂ）、（ｃ）成分の組成物を別々に投入してもよい。簡便性の点から、前者の方法が好ましい。
【００８８】
また、（ｄ）成分を用いる場合、４成分を含む組成物を一度に投入しても、（ａ）、（ｄ）成分及び（ｂ）、（ｃ）成分の組成物を別々に投入してもよい。簡便性の点から前者の方が好ましい。
【実施例】
【００８９】
以下、本発明の態様を実施例により更に記載し、開示する。この実施例は、単なる本発明の例示であり、何ら限定を意味するものではない。
【００９０】
実施例Ｉ−１〜Ｉ−３、比較例Ｉ−１〜Ｉ−３
粘土鉱物、漂白剤粒子、漂白活性化剤粒子、酵素、香料、及び表面改質用ゼオライト３質量％を除いた成分で、洗浄剤ベースを得た。これに、粘土鉱物、漂白剤粒子、漂白活性化剤粒子、酵素、香料、及び表面改質用ゼオライト３質量％を混合して柔軟洗浄剤組成物を得た。柔軟洗浄剤組成物の組成を表１に示す。
【００９１】
得られた柔軟洗浄剤組成物は、全て、ＪＩＳ  Ｋ３３６２：１９９８記載の２０℃で測定する０．０５質量％の水溶液のｐＨは１０〜１１の範囲、カルシウム捕捉量は５０〜２００ＣａＣＯ3  ｍｇ／ｇの範囲、平均粒径は３００〜８００μｍの範囲、見かけ密度は７００〜９８０ｇ／Ｌの範囲であった。
【００９２】
【表１】
2005206811.tif 000005
【００９３】
なお、得られた柔軟洗浄剤組成物の洗浄力及び柔軟性を以下の方法に従って評価した。これらの結果を表２に示す。
【００９４】
（襟あか布の調製）
ＪＩＳ  Ｋ３３６２：１９９８記載の襟あか布を調製した。
【００９５】
（洗浄条件及び評価方法）
ＪＩＳ  Ｋ  ３３６２：１９９８記載の衣料用合成洗剤の洗浄力評価方法に準じ、表１の柔軟洗浄剤組成物と洗浄力判定用指標洗剤の洗浄力を比較した。表１の柔軟洗浄剤組成物の使用濃度を１. ０ｇ／Ｌとした。
評価基準
Ａ：指標洗剤より勝る
Ｂ：指標洗剤と同等
Ｃ：指標洗剤より劣る
【００９６】
（評価用タオルの調製）
市販の綿タオル（綿１００％）をミニ洗濯機（National Panasonic Matsushita Electric製「Ｎ−ＢＫ２」）を用いて前処理し、また、その際の前処理剤には非イオン界面活性剤（炭素数１２の１級アルコールにエチレンオキサイドを平均６モル付加させたもの）、結晶性シリケート（「プリフィード顆粒品」）、炭酸ナトリウムを１：１：３（重量比）で混合した混合物を０．５ｇ／Ｌで使用した。水温２０℃で７分洗浄後、遠心脱水、３分ためすすぎ、脱水、３分ためすすぎ、脱水するサイクルを合計５回繰り返し、前処理剤を除去したものを評価用タオル（前処理タオル）として使用した。
【００９７】
（洗浄条件及び評価方法）
２０℃の水５Ｌに表１の柔軟洗浄剤組成物１．０ｇを溶解し、綿タオル０．３ｋｇ（７０ｃｍ×３０ｃｍで４枚）を投入し、７分間洗った。脱水後、タオルを水５Ｌで３分ためすすぎ、脱水、３分ためすすぎ、脱水して風乾した。
【００９８】
柔軟洗浄剤組成物で洗った綿タオルと前処理タオルとを一対として５人の判定者が手触りの柔らかさを官能評価した。差がない場合及び洗浄タオルの方が前処理タオルより硬くなる場合を０点、わずかに柔らかくなる場合を１点、少し柔らかくなる場合を２点、明らかに柔らかくなる場合を３点とし、５人の合計点を以下のように示した。
評価基準
Ａ：合計１０点以上
Ｂ：合計５点以上１０点未満
Ｃ：合計５点未満
【００９９】
【表２】
2005206811.tif 000006
【０１００】
表１、２の結果より、実施例Ｉ-１〜Ｉ-３において（ａ）、（ｂ）、（ｃ）成分を所定濃度・比率で柔軟洗浄剤組成物に配合することにより、柔軟効果が増強された柔軟洗浄剤組成物が得られることがわかる。
【０１０１】
実施例ＩＩ−１〜ＩＩ−１２、比較例ＩＩ−１〜ＩＩ−３
粘土鉱物、漂白剤粒子、漂白活性化剤粒子、酵素、香料、及び表面改質用ゼオライト３質量％を除いた成分で、洗浄剤ベースを得た。これに、粘土鉱物、漂白剤粒子、漂白活性化剤粒子、酵素、香料、及び表面改質用ゼオライト３質量％を混合して柔軟洗浄剤組成物を得た。この柔軟洗浄剤組成物の組成を表３、４に示す。
【０１０２】
得られた柔軟洗浄剤組成物は、全て、ＪＩＳ Ｋ３３６２：１９９８記載の２０℃で測定する０．０５質量％の水溶液のｐＨは１０〜１１の範囲、カルシウム捕捉量は５０〜２００ＣａＣＯ3ｍｇ／ｇの範囲、平均粒径は３００〜８００μｍの範囲、見かけ密度は７００〜９８０ｇ／Ｌの範囲であった。
【０１０３】
【表３】
2005206811.tif 000007
【０１０４】
【表４】
2005206811.tif 000008
【０１０５】
また、得られた柔軟洗浄剤組成物の洗浄力及び柔軟性を前記と同じ方法に従って評価した。これらの結果を表５、６に示す。
【０１０６】
【表５】
2005206811.tif 000009
【０１０７】
【表６】
2005206811.tif 000010
【０１０８】
表３〜６の結果より、実施例II-１〜II-１２において（ａ）、（ｂ）、（ｃ）、（ｄ）成分を所定濃度・比率で柔軟洗浄剤組成物に配合することにより、柔軟効果が増強された柔軟洗浄剤組成物が得られることがわかる。
【０１０９】
実施例ＩＩＩ−１〜ＩＩＩ−４、比較例ＩＩＩ−１〜ＩＩＩ−４
実施例ＩＩ−１と同様に、表７に示す組成を有する洗浄剤ベースを得た後、これに粘土鉱物、漂白剤粒子、漂白活性剤粒子、酵素、香料、及び表面改質用ゼオライトを混合して柔軟洗浄剤組成物を得た。得られた柔軟洗浄剤組成物は、全てＪＩＳ  Ｋ３３６２：１９９８記載の２０℃で測定する０．０５質量％の水溶液のｐＨは１０〜１１の範囲、カルシウムイオン捕捉量は５０〜２００ＣａＣＯ3  ｍｇ／ｇの範囲、平均粒径は３００〜８００μｍの範囲、見かけ密度は７００〜９８０ｇ／Ｌの範囲であった。
【０１１０】
また、得られた柔軟洗浄剤組成物の洗浄力及び柔軟性を前記と同じ方法に従って評価したところ、実施例III-1〜III-4のものは比較例III-1〜III-4に比べて優れた柔軟洗浄効果を示した。
【０１１１】
【表７】
2005206811.tif 000011
【０１１２】
また、前記実施例Ｉ−１〜３、II−1〜１２、III−１〜４において、
（ａ）成分として、ズード・ケミ社製の「ラウンドロジルＰＲ４１４」、「ラウンドロジルＤＧＡパウダー」、ラヴィオッサ社製の「デタソフトＧ１Ｓ」、「デタソフトＧ１Ｂ」、「デタソフトＧ１ＳＷ」、
（ｂ）成分として炭酸カリウム・過酸化水素付加物、
（ｄ）成分としてミリスチン酸ナトリウム、パルミチン酸ナトリウム、ステアリン酸ナトリウム、リノール酸ナトリウム、リノレン酸ナトリウム
をそれぞれ用いて柔軟洗浄剤組成物を調製した場合でも、優れた洗浄力と柔軟性を示した。
【０１１３】
なお、実施例中、各成分としては、以下のものを用いた。
・粘土鉱物：「ラウンドロジルＤＧＡ２１２」（ズード・ケミ社製、ベントナイト）
・非イオン界面活性剤１：炭素数１０〜１４の１級アルコールにＥＯを平均８モル付加させたもの
・非イオン界面活性剤２：炭素数１２〜１４の２級アルコールにＥＯを平均７モル付加させたもの
・非イオン界面活性剤３：炭素数１２〜１４の２級アルコールにＥＯを平均９モル、ＰＯを平均１モルの順にブロック付加させたもの
・漂白剤粒子１：硼酸ナトリウム・過酸化水素付加物
・漂白剤粒子２：炭酸ナトリウム・過酸化水素付加物（過炭酸ナトリウム）；特開２０００−２５６６９９号公報の段落００１９に記載の漂白剤粒子）
・漂白活性化剤粒子１：Ｎ，Ｎ，Ｎ’，Ｎ’−テトラアセチルエチレンジアミン（本発明でいう（ｃ）成分ではない）
・漂白活性化剤粒子２：ラウロイルオキシベンゼンスルホン酸ナトリウム造粒物（特開２０００−２５６６９９号公報の段落００１８記載の漂白剤粒子）
・漂白活性化剤粒子３：ラウロイルオキシベンゼンスルホン酸ナトリウムにかえて、ノナノイルオキシベンゼンスルホン酸ナトリウムを使用し、漂白活性化剤粒子２と同様の調製法にて漂白活性化剤粒子３を得た。
・ＬＡＳ−Ｎａ：アルキル基の炭素数１２〜１４の直鎖アルキルベンゼンスルホン酸ナトリウム
・ＡＳ−Ｎａ：アルキル基の炭素数１２〜１６のアルキル硫酸エステルナトリウム
・ＥＳ−Ｎａ：ポリエチレングリコール（ＥＯ平均付加モル数１）アルキル（炭素数１２〜１６）硫酸ナトリウム塩
・α−ＳＦＥ：アルキル基の炭素数が１２〜１４のα−スルホ脂肪酸メチルエステルナトリウム
・脂肪酸Ｎａ  １：アルキル基の炭素数１４〜１８の脂肪酸ナトリウム
・脂肪酸Ｎａ  ２：オレイン酸ナトリウム
・結晶性シリケート：「プリフィード顆粒品」（株式会社トクヤマシルテック製）
・ＰＥＧ：ポリエチレングリコール（重量平均分子量  １００００）
・ＡＡポリマー：ポリアクリル酸（平均分子量  １．５万；ＧＰＣによる測定、ポリエチレングリコール換算）
・ＡＡ／ＭＡポリマー：アクリル酸−マレイン酸コポリマー（ナトリウム塩（７０モル％中和）であり、モノマー比はアクリル酸／マレイン酸＝３／７（モル比）、平均分子量７００００）
・蛍光染料：「チノパールＣＢＳ−Ｘ」（チバガイギー社製）
・酵素：「セルラーゼＫ」（特開昭６３−２６４６９９号公報記載）、「カンナーゼ２４ＴＫ」（ノボザイム社製）、「サビナーゼ６．０Ｔ」（ノボザイム社製）を３：１：２ の質量比で使用
【産業上の利用可能性】
【０１１４】
本発明の柔軟洗浄剤組成物は、例えば、綿製のタオル、バスタオルやＴシャツ、トレーナーに代表される衣類等の繊維製品の柔軟洗浄剤として好適に使用することができる。